(57)【要約】      （修正有）【課題】室内の平面と同時に壁際やそのコーナーなど又はサッシや垂直部に係るインテリアや垂直部材に係る建築部材の掃除に最適な統合性のある電気掃除機ノズルを提供する。【解決手段】電気掃除機のノズル１は複数の吸引口を兼ね備えてなる電気掃除機においてノズルの底面８１の中央部に第一の吸引口２２を設け、第一の吸引口２２と離間して第二の吸引口２４をノズルの前部の先端９０に下方からの吸引口６５と前方からの吸引口６４を設ける。それらの吸引口により多面の掃除面に対応し第一の吸引口２２を開閉蓋２０で開閉可能とし、その第一の吸引口２２を閉鎖すると吸引口の総面積の減少により他の吸引口の吸い込みを一気にアップさせる。【選択図】図１
0003183535.tif 000002
【実用新案登録請求の範囲】
【請求項１】
ノズルに複数の吸引口を備えてなる電気掃除機において前記ノズルの底面８１の中央部に第一の吸引口２２を設け、該第一の吸引口２２と離間して第二の吸引口
２４を前記ノズルの前部の先端９０に下方からの吸引口６５と前方からの吸引口６４を設け、前記第一の吸引口２２を開閉蓋２０で開閉可能としたことを特徴とする電気掃除機のノズル。
【請求項２】
前記ノズルの外側と内側及び開閉蓋を柔軟性の有する樹脂とセラミック材と静電気防止材を混合させた部材としたことを特徴とする請求項１記載の電気掃除機のノズル。
【請求項３】
前記ノズルの内部を掃除可能な開口部を設け且つ該開口部に開閉蓋を設けたこと
を特徴とする請求項１記載の電気掃除機のノズル。
【請求項４】
前記第二の吸引口を第一の吸引口から平行に離間して形成したことを特徴とする
請求項１記載の電気掃除機のノズル。
【請求項５】
前記ノズルの底面の中央部に第一の吸引口を設け、該第一の吸引口と離間して第二の吸引口をコの字状に底面外周部に設けたことを特徴とする請求項１と請求項４記載の電気掃除機のノズル。
【請求項６】
前記第二の吸引口を開閉可能としたことを特徴とする請求項１記載の電気掃除機
のノズル。
【請求項７】
前記第二の吸引口の外周部に該先端に凹部を有する弾性部材を突出させその部材
と離間して囲うように該先端に凹部を有するブラシを設けたことを特徴とする請求
項１記載の電気掃除機のノズル。
【請求項８】
前記第一の吸引口の外周部に該先端に凹部を有するブラシを設けたことを特徴と
する請求項１記載の電気掃除機のノズル。
【請求項９】
前記第二の吸引口を第一の吸引口と比較して吸引口の総面積を少なくしたことを特徴とする請求項1記載の電気掃除機のノズル。
【請求項１０】
前記ノズルの外周部に弾性部材とシート材と高硬度の混合材からなる部材を設け
たことを特徴とする請求項１記載の電気掃除機のノズル。
【請求項１１】
前記ノズルの外周部に設けた弾性部材を空孔の有するゴムとしたことを特徴とす
る請求項１及び請求項１０記載の電気掃除機のノズル。
【請求項１２】
前記第一の吸引口の開閉蓋を段階的に調節可能としたことを特徴とする請求項１
記載の電気掃除機のノズル。
【請求項１３】
前記ノズルに設けた可動部材を第二の吸引口と直行且つ同一方向に調整可能としたことを特徴とする請求項１記載の電気掃除機のノズル。
【請求項１４】
前記可動部材の後部側面に螺旋状の空気口を設けその前記可動部材の後部を斜面      
形状で形成したことを特徴とする請求項１３記載の電気掃除機のノズル。
【請求項１５】
前記静電気防止材を固形状として混合したことを特徴とする請求項２記載の電気掃除機のノズル。
【請求項１６】
前記ノズルの第一の吸引口の開閉蓋を駆動手段を介して開閉できることを特徴と
する請求項１記載の電気掃除機のノズル。
【考案の詳細な説明】
【技術分野】
【０００１】
本考案は企業、店舗、工場、家庭に係る建築物などの通常吸引共に壁際やコーナーなど又は垂直面における排気有する電気製品や建築物の部材又はその垂直からなるインテリアで活用できる電気掃除機のノズルに関し特にそれらの垂直部の掃除面の埃を効率良く取ることができる電気掃除機のノズルに関する。
【背景技術】
【０００２】
電気掃除機のノズルは吸引口がそのノズルの底面部に一つの吸引口を兼ね備えて平面などの掃除は効率的にスムーズに行えしかしそのノズルは垂直部や壁際又は平面といったそれらの統合性において掃除をスムーズに行えないという問題点があった。
【先行技術文献】
【特許文献】
【０００３】
【特許文献１】実開平６−０００３３１号公報
【考案の概要】
【考案が解決しようとする課題】
【０００４】
電気掃除機のノズルの吸引口はそのノズルの底面部に有り平面の掃除がスムーズに効率良くでき、壁際やそのコーナー又はサッシや垂直部に差し掛かると細い隙間ノズルやその電気掃除機の付属となる多種のノズルに頻繁に取り換える必要性があった。本考案は複数の吸引口を有すると共に平面や室内の壁際やそのコーナーなど又はサッシや垂直部の掃除のそれらの掃除場所を統合して最適な掃除を可能とする電気掃除機のノズルを提供するものである。
【課題を解決するための手段】
【０００５】
本考案１は
ノズルに複数の吸引口を備えてなる電気掃除機において前記ノズルの底面８１の中央部に第一の吸引口２２を設け、該第一の吸引口２２と離間して第二の吸引口２４を前記ノズルの前部の先端９０に下方からの吸引口６５と前方からの吸引口６４を設け、前記第一の吸引口２２を開閉蓋２０で開閉可能としたことを特徴とする電気掃除機のノズルを提供。
【０００６】
本考案２は
前記ノズルの外側と内側及び開閉蓋を柔軟性の有する樹脂とセラミック材と静電気防止材を混合させた部材としたことを特徴とする電気掃除機のノズルを提供。
【０００７】
本考案３は
前記ノズルの内部を掃除可能な開口部を設け且つ該開口部に開閉蓋を設けたことを特徴とする電気掃除機のノズルを提供。
【０００８】
本考案４は
前記第二の吸引口を第一の吸引口から平行に離間して形成したことを特徴とする電気掃除機のノズルを提供。
【０００９】
本考案５は
前記ノズルの底面の中央部に第一の吸引口を設け、該第一の吸引口と離間して第二の吸引口をコの字状に底面外周部に設けたことを特徴とする電気掃除機のノズルを提供。
【００１０】
本考案６は
前記第二の吸引口を開閉可能としたことを特徴とする電気掃除機のノズルを提供。
【００１１】
本考案７は
前記第二の吸引口の外周部に該先端に凹部を有する弾性部材を突出させその部材と離間
して囲うように該先端に凹部を有するブラシを設けたことを特徴とする電気掃除機のノズルを提供。
【００１２】
本考案８は
前記第一の吸引口の外周部に該先端に凹部を有するブラシを設けたことを特徴とする電気掃除機のノズルを提供。
【００１３】
本考案９は
前記第二の吸引口を第一の吸引口と比較して吸引口の総面積を少なくしたことを特徴とする電気掃除機のノズルを提供。
【００１４】
本考案１０は
前記ノズルの外周部に弾性部材とシート材と高硬度の混合材からなる部材を設けたことを特徴とする電気掃除機のノズルを提供。
【００１５】
本考案１１は
前記ノズルの外周部に設けた弾性部材を空孔の有するゴムとしたことを特徴とする電気掃除機のノズルを提供。
【００１６】
本考案１２は
前記第一の吸引口の開閉蓋を段階的に調節可能としたことを特徴とする電気掃除機のノズルを提供。
【００１７】
本考案１３は
前記ノズルに設けた可動部材を第二の吸引口と直行且つ同一方向に調整可能としたことを特徴とする電気掃除機のノズルを提供。
【００１８】
本考案１４は
前記可動部材の後部側面に螺旋状の空気口を設けその前記可動部材の後部を斜面形状
で形成したことを特徴とする電気掃除機のノズルを提供。
【００１９】
本考案１５は
前記静電気防止材を固形状として混合したことを特徴とする電気掃除機のノズルを提供。
【００２０】
本考案１６は
前記ノズルの第一の吸引口の開閉蓋を駆動手段を介して開閉できることを特徴とする
電気掃除機のノズルを提供。
【考案の効果】
【００２１】
本考案１は
ノズルに複数の吸引口を備えてなる電気掃除機において前記ノズルの底面８１の中央部に第一の吸引口２２を設け、該第一の吸引口２２と離間して第二の吸引口２４を前記ノズルの前部の先端９０に下方からの吸引口６５と前方からの吸引口６４を設け、前記第一の吸引口２２を開閉蓋２０で開閉可能としたことを特徴とする為掃除場所に応じて第一の吸引口の開閉蓋である開口の広さを調整しながらその調整された吸引口で中央部の掃除が行えると共に前記第二の吸引口の前記下方からの吸引により壁際も掃除が同時に行なえ尚前記前方からの吸引は建築物に係る垂直からなる部材の掃除が行える為網戸やインテリアとなるカーテンの掃除も行えるようになった。
【００２２】
本考案２は
前記ノズルの外側と内側及び開閉蓋を柔軟性の有する樹脂とセラミック材と静電気防止材を混合させた部材としたことを特徴とする為柔軟部材である柔軟を有する樹脂で形成した部材であるそのノズルは硬質部材から形成するノズルより軽くその前記セラミックは前記柔軟部材からなる樹脂を高硬度にする効果があり又埃や汚れをそのノズルに吸着させずに滑らせるといった効果やカビなどの細菌を防ぐ効果がありそのノズルはそれらの事やその前記セラミックはそのノズルの光沢に係る樹脂を長年保持するといった光沢保持率が非常に高い為その前記ノズル１は綺麗で清潔さを保ち続け尚そのノズルには静電気防止材も混合した部材である為そのノズル全体での電気製品であるキーボード等のＩＣなどの破損等の前記静電気による障害を予防し又その前記ノズルの内側も静電気による埃の定着を防ぎ吸引を確実なものとしそのノズルは掃除の障害物に係る家具などに接触すると柔軟を有する為その家具の保護ができて柔軟を有すゆえにその前記セラミック材により固いノズルとなりそのノズルは柔軟部材により軽く又静電気防止材にはない効果をセラミック材は持ちそれらの統合によりノズルの効果を最大限に生かせるものとした。
【００２３】
本考案３は
前記ノズルの内部を掃除可能な開口部を設け且つ該開口部に開閉蓋を設けたことを特徴とする為その前記内部を掃除する為の開口部の開閉蓋より第一の吸引口や第二の吸引口から吸引した釘などの非清掃物やごみの詰りをそれらの開口部によりその開口部に係る開閉蓋を開け取り除く事ができ従来そのノズルをたたき落としていた詰りをその開口部により簡単に解決できるものとした。
【００２４】
本考案４は
前記第二の吸引口を第一の吸引口から平行に離間して形成した為その第一の吸引口で中央部の掃除を行いながら前記第一の吸引口から平行に離間した第二の吸引口で壁際のそれらを同時に清掃ができるものとなる。
【００２５】
本考案５は
前記ノズルの底面の中央部に第一の吸引口を設け、該第一の吸引口と離間して第二の吸引口をコの字状に底面外周部に設けたことによりその第一の吸引口で中央部の掃除をしながらその前記中央部から離間して設けたコの字状の吸引口でその前記第二の吸引口により壁際やそのコーナーのそれらの掃除が同時に行えるものとした。
【００２６】
本考案６は
前記第二の吸引口を開閉可能とした為その第二の吸引口は開閉ができて吸い込むエネルギーの調節を行えるものとし掃除場所に応じて吸引力を変えられるものとしその前記第二の吸引口を閉鎖して第一の吸引口を調節しながらそのノズルを使用することもできる。
【００２７】
本考案７は
前記第二の吸引口の外周部に該先端に凹部を有する弾性部材を突出させその部材と離間して囲うように該先端に凹部を有するブラシを設けたことを特徴とする為前記弾性部材の先端部には凹部を有する為その部材は前記ノズルの内部の真空状態を調節するものとなり外気の取り込みを軽減させる効果がありその凹部で外気の取り込みを調整しその部材により吸引をアップさせながらそのブラシにより埃を集めそのブラシの該先端部の凹部によりその凹部からそのブラシにより害する埃の吸引などをそのノズルの内部へと移動できるものとしそれらの部材を併用させることによりその電気掃除機の持つエネルギーを損なうことなく埃の吸引を確実なものとした。                                                
【００２８】
本考案８は
前記第一の吸引口の外周部に該先端に凹部を有するブラシを設けたことを特徴とする為そのブラシにより埃を集め尚そのブラシの先端となる該ブラシ部に凹部を有する為その凹部により前記ブラシで集めた埃をその凹部からその埃の取り込み口として使用が出来てその前記ブラシがあることにより吸引を害するその埃がよりそのノズルの内部へと移行しやすくなるものとした。
【００２９】
本考案９は
前記第二の吸引口を第一の吸引口と比較して吸引口の総面積を少なくしたことを特徴とする為その吸引口の面積の比率により吸引力の力を相違させてさまざまな掃除用途に対応できる第二のノズルとし吸引口の開口面積を縮小させるほど吸引力を増大するといったものとし微小の埃や粘着する埃までも吸引が可能となりそのノズルは複数からなるその吸引口の使い分けにより多種能力をこのノズルは兼ね備えその面積による吸引は広いほど緩やかであり狭くなるほどその吸引は増大するといった使い分けの選択肢が出来るといったこのノズル１つでの複数の効果が発揮できる。
【００３０】
本考案１０は
前記ノズルの外周部に弾性部材とシート材と高硬度の混合材からなる部材を設けたことを特徴とする為その弾性部材にシート材を被覆したその被覆した部材に高硬度の混合部材を設けたことによりその部材は掃除する時の障害物となる家具などの接触時をその弾性部材が和らげその弾性部材にシート材で被覆したその被覆したその部材には前記混合部材を設けその混合部材により保護させている為とそのシート材の被覆によりその弾性部材はその部材劣化をその混合部材やそのシート材からなるシール材で防ぎそれらの部材の長期安定を図るものとする。
【００３１】
本考案１１は
前記ノズルの外周部に設けた弾性部材を空孔の有するゴムとしたことを特徴とする為その前記弾性部材の空孔により空気がその部材から抜ける為伸び縮みしてクッションの役割を果たし掃除する時の障害物によるその接触時からの圧力を加えるとその弾性部材は弾性変形効果により伸縮しその前記接触を和らげると共にそのノズルの第二の吸引口は前記弾性部材が伸縮することにより障害物の際へといくようになる為そのような吸引場所での掃除がより確実に行なえ邪魔にならない保護材となる。
【００３２】
本考案１２は
前記第一の吸引口の開閉蓋を段階的に調節可能としたことを特徴とする為その吸引口の開口部の広さは掃除場所に応じてそれらの吸引口の開口部の広さの固定が出来てそのことにより複数の掃除面や多種からなる比重が異なる埃においてそれらの場所やそれらの埃に応じてその比重が少し重い埃でも確実に吸引し段階的調整により安定した吸引からなる掃除を行えるものとした。
【００３３】
本考案１３は
前記ノズルに設けた可動部材を第二の吸引口と直行且つ同一方向に調整可能としたことを特徴とする為その調整時のそのノズルの可動部と連結する延長ホースを直線とし第二の吸引口と直行となる為建築物に係る部材の網戸やその建築物内のインテリアとなるカーテンなどを掃除する際にその直線からなる同一方向に調整可能としたそのノズルに係る第二の吸引口はそれらの垂直部に当てやすくなるノズルとなりそのような掃除場所を掃除しやすいものとなる。
【００３４】
本考案１４は
前記可動部材の後部側面に螺旋状の空気口を設けその前記可動部材の後部を斜面形状で形成した為その前記ノズルは複数の吸引口を有しそれらの吸引口は段階的な閉鎖と同時にそのノズルの内部の真空度を高める為そのノズルの可動部材と連結部となる延長ホースのそれらの連結部はよりそれらの部材同士が吸着されそのノズルは取り外しが困難となる為それを解消する為にその可動部材の後部側面にネジ状からなる凹部の螺旋形状の空気口を設けそのノズルを少し捻ることによりその凹部に空気が入る為その螺旋形状によりその空気が伝わりやすくその為取り外しが簡単となり更にその可動部材の後部は斜面形状で形成した為その前記連結部の摩擦面はそのことにより軽減されてそれ以上の取り外しが向上して手軽なものとなる。
【００３５】
本考案１５は
前記静電気防止材を固形状として混合したことを特徴とする為前記ノズルの混合に係る部材は柔軟を有する部材でその柔軟を有する部材は樹脂でありその部材の樹脂量にセラミック材とその静電気防止材からなりそれらの部材で形成された部材であるがその樹脂にセラミック材と静電気防止材のそれらを混合できる規定の使用量の上限がありその樹脂にその二つの材料を加えるとその前記セラミック材の効果が最大にいかせない為とそのセラミック材がその混合により静電気防止材やその樹脂で覆われてしまう為その樹脂にセラミック材をそのノズル部材に加えその加えたその材料に固形状の静電気防止材を混合させた部材である為そのセラミックの効果は最大限に混合できる為効果は最大なものとなり又その静電気防止材も固形状にすることによりその固形状が表面に浮き出てその静電気防止材がその樹脂やセラミック材で覆われることが減少しその粒子の集合物質となった固形状により静電気をより集め最大限にその静電気防止効果を発揮する。
【００３６】
本考案１６は
前記ノズルの第一の吸引口の開閉蓋を駆動手段を介して開閉できることを特徴とする為それらの吸引口の総面積がその駆動により自在に吸引口の広さの調節ができて多  種からなる掃除面でのその前記吸引口の総面積がその駆動により調節できる為吸引口の調節と同時に吸引力が素早くスムーズに変えることができて掃除面の移行にからなる掃除吸引が手軽なものとなった。
【図面の簡単な説明】
【００３７】
【図１】本考案に係る電気掃除機の第二のノズルの正面図。
【図２】第二のノズルの材質を示す概略図。
【図３】第二のノズル材質を示す概略図。
【図４】第二のノズルの内部に設けた開閉蓋の材質を示す概略図。
【図５】第二のノズルの２つの吸引口の一例を示す概略図。
【図６】第二のノズル内部の開閉蓋の開閉の一例を示す概略図。
【図７】第二のノズルの内部に納める開閉蓋の概略図。
【図８】第二のノズルの内部の開閉蓋の開閉の一例を示す概略図。
【図９】第二のノズルの２つの吸引口が開いている状態の概略図。
【図１０】第二のノズルの２つの吸引口の第一の吸引口の閉鎖を示す概略図。
【図１１】第二のノズル内部の開閉蓋の閉鎖を示す概略図。
【図１２】第二のノズルの吸引力を示す概略図。
【図１３】第二のノズル内部の開閉蓋の開閉の一例を示す概略図。
【図１４】第二のノズルの外周部に設けた部材の変形を示した概略図。
【図１５】第二のノズルでの掃除の一例を示す概略図。
【図１６】第二のノズルの二つの吸引口の外周部材の一例の概略図。
【図１７】第二のノズルの第二の吸引口の外周部材の使用一例の概略図。
【図１８】第二のノズルの掃除を可能とする場所の一例を示す概略図。
【図１９】第二のノズルの掃除を可能とする場所の一例を示す概略図。
【図２０】第二のノズルの内部を掃除する為の開口部の概略図。
【図２１】第二のノズルの２つの吸引口に係る開閉蓋の閉鎖一例の概略図。
【図２２】第二のノズルの材質や部材の硬度を示す概略図。
【図２３】第二のノズルの素材効果を示す概略図。
【図２４】第二のノズルと硬質部材からなるノズルの重さを示す概略図。
【図２５】第二のノズルや部材の強度や硬度を示した概略図。
【図２６】第二のノズルの２つの吸引口の一例を示す概略図。
【図２７】第二のノズルの可動部を示した概略図。
【図２８】第二のノズルの可動部の詳細を示した概略図。
【図２９】第二のノズルの可動部の構造を示した概略図。
【図３０】第二のノズルの可動部の角度固定を示す概略図。
【図３１】第二のノズルの車輪の一例を示す概略図。
【図３２】第二のノズルの車輪の構造を示す概略図。
【図３３】第二のノズルの車輪の効果を示す概略図。
【図３４】第二のノズルの角度固定による使用例の概略図。
【図３５】電気掃除機とその付属の隙間ノズルの概略図。
【図３６】第二のノズルの車輪の部材効果の概略図。
【図３７】第二のノズルの車輪の移動方向を示す概略図。
【図３８】第二のノズルの可動部材の構造の概略図。
【図３９】第二のノズルの可動部材の構造の効果の概略図。
【図４０】第二のノズルの掃除する為の開口部の一例の概略図。
【図４１】第二のノズルの掃除する為の開口部の構造の概略図。
【図４２】可逆用マグネットスイッチの電気回路図
【図４３】図４３の電気回路を使用し開閉蓋の開閉を自動とした概略図。
【図４４】第一のノズルの概略図。
【図４５】第一のノズルの可動方向を示す概略図。
【考案を実施するための形態】
【００３８】
以下、本考案の好適な実施例を図面に基づいて説明する。
【００３９】
図１は本考案に係る電気掃除機２９のノズルの一例を示す第二のノズル１を示した正面図である。
【００４０】
図１のそのノズル１に複数の吸引口を備えてなる電気掃除機２９において前記ノズル１の底面８１の中央部に第一の吸引口２２を設け、該第一の吸引口２２と離間して第二の吸引口２４を前記ノズル１の前部の先端９０に下方からの吸引口６５と前方からの吸引口６４を設け、前記第一の吸引口２２を開閉蓋２０で開閉可能としたことを特徴としそれらの吸引口の大きさは前記第二の吸引口を第一の吸引口と比較して吸引口の総面積を少なくした為その複数からなる吸引口面での多目的の掃除場所やそれらの掃除面での吸引量調節のノズル1の前記多目的の掃除可能なその効能によりそれらを選択して掃除を行えるものとし前記ノズル１の底面８１の中央部に第一の吸引口２２を設けたその吸引口ではその中央部に係る掃除が行え、該第一の吸引口２２と離間して第二の吸引口２４を前記ノズルの前部の先端９０に下方からの吸引口６５のその吸引口では壁際３１の掃除ができその前方からの吸引口６４を設けたその吸引口では垂直部に係る部材の掃除ができてそのノズル１は前記第一の吸引口２２を開閉蓋２０で開閉可能としたことを特徴とする為それらの掃除場所での吸引力の必要とするエネルギーの調節ができて多々の掃除場所での吸引力の使い分けや吸引口の使い分けの選択がそのノズル１でできるものとしその前記第二の吸引口を第一の吸引口と比較して吸引口の総面積を少なくした為その総面積が広いほどその掃除吸引は緩やかなものとなりその総面積が狭いほどその掃除吸引は増加しその吸引力がアップするものとなる。
【００４１】
図２と図３と図４の第二のノズル１の部材に係る前記ノズル１の外側１３３と内側１３４及び開閉蓋２０を柔軟性の有する樹脂１３１とセラミック材１２１と静電気防止材１１８を混合させた部材としたことを特徴とする為その柔軟を有する樹脂部材１３１からなる柔軟部材１２２は硬質部材１２に比べそれらの部材に係る材質は樹脂４７となるがその柔軟部材１２２は使用する前記樹脂４７を硬質部材１２よりもその樹脂４７量を低減させて形成しその部材が柔軟を有する部材の形成となりその使う樹脂４７量は減少した為軽いノズル１となりその樹脂４７量の低減した柔軟を有するその分量の樹脂の粒子４７にセラミック材１２１と静電気防止材１１８を混合し形成した為その樹脂４７からなる柔軟部材１２２はセラミック材１２１の混合により柔軟を有する部材でも硬度の高い材質となり又静電気防止材１１８も追加する為そのノズル１の全体面で静電気予防やその静電気によるそのノズル１の内側１３４での埃の障害をそのノズル１でできるものとなりそのノズル１はそのセラミック材１２１や静電気防止材１１８により硬度は高いが柔軟部材からなる為その柔軟が掃除の障害物となる家具などの接触時による衝撃を吸収してその前記家具などを保護する効果がそのノズル1にはある。
【００４２】
図５の（ａ）から（ｄ）は前記ノズル１の第二の吸引口２４の形状を示したもので（ａ）は前記第二の吸引口２４を第一の吸引口２２から平行に離間して形成したものでこのノズル１の前記（ａ）での第一の吸引口２２で中央部での掃除が中心となりその掃除部を掃除しながら同時にその第二の吸引口２４の吸引４９は壁際３１の掃除が中心となりそれらを同時に掃除が行える形状となっている。（ｂ）は前記ノズル１の底面８１の中央部に第一の吸引口２２を設け、該第一の吸引口２２と離間して第二の吸引口２４をコの字状に底面外周部に設けたその第一の吸引口２２は前記（ａ）の中央部の掃除と同様でその第二の吸引口２４の吸引は壁際３１とそのコーナー部の両面での掃除が一度に行える形状となりその（ｂ）は（ａ）にコーナー部が追加されたものとなる。（ｃ）はノズルに複数の吸引口を備えてなる電気掃除機において前記ノズル１の底面８１の中央部に第一の吸引口２２を設け、該第一の吸引口２２と離間して第二の吸引口２４をノズル１の前部の先端９０に下方６５からの吸引口と前方６４からの吸引口を設けたことを特徴とする為その第一の吸引口２２でその前記（ａ）の掃除と同様で中央部の掃除ができるゆえに前記第二の吸引口２４のその下方６５からなる吸引口で壁際３１を掃除できると共にその前方６４からなる吸引口は垂直に立つ建築物に関わる部材や排気を必要とする電気製品などの掃除がその先端部９０に係るその前方６４で行える使い分けのできる形状となっている。（ｄ）は（ｃ）のそのノズル１の先端部９０に係る前方６４を示したもので前記ノズル１の先端部９０に係る前方６４は開口していることを示している。
【００４３】
図６の(ａ)から（ｅ）は前記ノズル１の第一の吸引口２２を開閉蓋２０で開閉可能としたことを特徴としその開閉の仕方や前記第一の吸引口２２の開閉蓋２０を段階的に調節可能としたその前記段階的な調整によるその開閉蓋２０の段階固定手段を示したもので（ａ）はその開閉蓋２０が第一の吸引口２２の開閉にあたりその前記開閉蓋２０がそのノズル１の後方から前方に進行するように開閉したものとなる。（ｂ）はその前記開閉蓋２０である混合部材からなる開閉蓋２０の左右端部を挟み込むように弾性部材１７の弾性を有する部材にその弾性部材１７の両面に混合材５を設けその部材で開閉蓋２０の上部からその部材に圧力３７をかけてその部材の持つ弾性部の弾性変形効果を利用してその圧力３７により部材同士を密着させてその開閉蓋２０は段階的に固定できるものとした。（ｃ）は（ｂ）の形状を少しかえて前記開閉蓋２０からなる混合材を段階的に調節する為にその開閉蓋２０を挟みこむようにその開閉蓋２０の上部となるその部材の左右端部には弾性部材１７に混合部材５からなる部材をその弾性部材１７の両面に設けその部材をその開閉蓋２０へのその（ｂ）と同様に左右端部の上部からの圧力３７と同時にその開閉蓋２０の前記左右端部となるその開閉蓋２０の下部面には凸部９３を設けその凸部９３と連結するようにそのノズル1には複数からなる凹部９２を設けそれらの凹凸を利用してその開閉蓋２０はその凹凸と上部からの弾性部材１７の圧力により段階的に固定できるものとした。（ｄ）は(ａ)で記した開閉する開閉蓋２０の方向手段をかえてそのノズル１の左右から開閉するようにその前記第二の吸引口２４を示した開閉の一例となる。前記（ｃ）の追記として（ｅ）はその凹凸を明確として示したものとなる。    
【００４４】
図７の（ａ）は前記ノズル１の内部９６に設ける開閉蓋２０の混合材である柔軟を有する混合部材からなるその該混合部材面から突出させた同じ部材からなる混合部材をレバー２１として突出させてありその内部に設けた混合部材は前記レバー２１の可動によりそのノズル１の前記内部９６で可動し（ｂ）はその可動した時のその内部９６に設けたその混合部材からなる開閉蓋２０を示したそれらは概略図でありそのノズル１の混合材１３２からなる硬度よりその開閉蓋２０はセラミック材１２１や静電気防止材１１８を抑えて低硬度になるように柔軟強度を高めるように形成する。
【００４５】
図８は図7で記した開閉蓋２０の混合部材である柔軟を有するその混合部材の前記ノズル１の内部９６に設けたものでその開閉蓋２０からなる該混合部材面には同じ部材からなる混合材部が突出させてありその突出部はレバー２１となる。そのノズル１の前記内部９６から外部６１へとそのレバー２１が突出できるようにそのレバー２１の専用開口部４１をそのノズル１の該ノズル面に設けそのレバーをその開口部４１を通過して外部６１へと突出させた。（ａ）よりその前記レバー２１を可動１６させる事によりその前記内部９６に設けた混合部材からなる開閉蓋２０は同時に可動し（ｃ）の前記レバー２１の可動１６によりその可動１６の最終は（ｄ）より第一の吸引口２２の閉鎖となりその作用効果により吸引開口部の大きさを自在に調節できてその調整からなるそれぞれの電気掃除機が持つエネルギーの調整により吸引力の調節ができる。
【００４６】
図９より前記ノズル１の底面部８１に設けた吸引口部は第一の吸引口部２２と第二の吸引口部２４を持つ。
【００４７】
図１０より前記ノズル１の底面部８１の第一の吸引口２２の吸引口が閉鎖していることを示し第二の吸引口２４の開口部は開口している状態を示したものである。            
【００４８】
図１１より前記ノズル１の内部９６に設けた開閉蓋２０の柔軟を有する混合部材の可動をより詳しく説明したものでそのノズル内部９６に設けた混合部材２０はその部材が可動する為のレール部２３がその混合部材と離間してその部材の外周部にありその開閉蓋２０はそのレール２３を通り可動出来る仕組みとした。
【００４９】
図１２より前記第二のノズル１の内部９６に設けた開閉蓋２０のその開閉蓋２０により段階的に吸引口の総面積を調節して吸引４９を示したものとなり（ａ）はそのノズル１に係る第一の吸引口２２と第二の吸引口２４は開いている為それぞれ電気掃除機２９の持つ吸引４９のエネルギーはその吸引口の総面積は広い為その吸引は緩やかなものとなることを矢印の太さにより示したものとなり（ｂ）は（ａ）の第一の吸引口２２の開口部を閉鎖して第二の吸引口２４での吸引を示したものとなりその前記第一の吸引口２２の閉鎖によりそれらの吸引口の吸引できる総面積は大幅に減少した為その第二の吸引口２４は吸引が増大したことを矢印の太さにより示して（ｃ）はそのノズル１の第一の吸引口２２を閉鎖して尚そのノズル１の第二の吸引口２４はそのノズル１の前部の先端９０に下方からの吸引口６５と前方からの吸引口６４を設けてありその下方からの吸引口６５を同時に閉鎖してそのノズル１の前方６４からの吸引を示したものとなり前記（ｂ）で示した吸引口よりもその開口部の総面積は減少した為その前記前方６４からの吸引は更に強くなり高吸引を矢印の太さにより示したものとなる。（ｄ）と（ｅ）は相違した電気掃除機２９を示しそのようなどんな掃除機２９でも吸引力が満たない古い掃除機でもこのノズル１を装着することにより高吸引を得ることのできる電気掃除機２９となることを示した。            
【００５０】
図１３より（ａ）から（ｄ）は第二のノズル１の第一の吸引口２２の開閉を示した一例であり（ａ）はそのノズル１の内部９６に設けた柔軟を有する混合部材からなる開閉蓋２０のその部材を二方向からなるそのノズル１のその左右両サイドから開閉９５できる仕組みとしそれらの部材は前記開閉蓋２０となる混合部材から突出させたレバー２１を可動させることによりそのノズル１の内部９６に設けた前記開閉蓋２０は同時に可動しその部材が通るレール２３を通り開閉９５できるものとした。（ｂ）は前記（ａ）で記した可動の仕組みは同じとなるがその開閉蓋２０が巻きとり式となりその前記レバー２１を可動１６させることにより巻かれたその開閉蓋２０は前記レール２３を通り開閉９５できる仕組みとした概略図となる。（ｃ）は（ａ）で記した開閉蓋の可動方法は同じとなるが（ａ）との違いは片側一方から開閉９５するということとなる。（ｄ）は（ｂ）で記した開閉蓋と同じ可動方法となるが（ｂ）との違いは片側一方で開閉蓋９５を可動させてその部材により開閉した概略図となりそれらはノズル１の第一の吸引口を開閉する為の一例となる。                                                                          
【００５１】
図１４より前記ノズルの外周部に弾性部材とシート材と高硬度の混合材からなる部材を設けたことを特徴とするそれらの部材の効果を示したもので（ａ）よりその弾性部材３から形成した部材はスポンジ状のクッション有する部材であり前記ノズルの外周部に設けた弾性部材を空孔の有するゴムとしたことを特徴とする為（ｂ）と（ｃ）又は（ｄ）よりその部材に壁際３１などによる圧力３７を加えるとその前記弾性部材３はその弾性部材３にある（ｃ）の空孔１３５によりその弾性部材３より空気が抜けてその為その部材は伸縮してそのノズル１に設けた第二の吸引口２４がより壁際３１に移行するようになり又その部材は家具などの掃除する時の障害物となるそれらの部材に対してクッションを有する保護材ともなる。又その弾性部材３には柔軟を有するシ―ル状の前記シート材８４が被覆してある為そのスポンジ状からなる弾性部材３は水や埃を受け付けなくなる為その弾性部材３の劣化を柔軟部材より低硬度な樹脂からなるシート材８４が防ぐものとしその弾性部材３の長期安定を図るものとする。又その弾性部材３にシート材８４を被覆したその部材にはその部材よりも高硬度４７である混合材４を設けた為その弾性部材３にシート材８４で被覆したその部材の劣化をその混合材により防ぎ部材の保護機能として作用させそれらの部材の安定を保持する。（ｅ）はその弾性部材３の形状を変え示したものでその弾性部材３はスポンジ状ではなくそのスポンジより高硬度の弾性変形を有するゴムからなりそのゴムでその部材の内部に空孔部１３５を設けその空孔部１３５を設けたゴムからなる柔軟部材１２２より低硬度のシール状からなるシリコンよりも高硬度なシート材８４をそのゴムに被覆しその部材にそれらの部材より高硬度となる混合部材４を設け形成したそのノズル１の外周部に設ける部材一例を示したものとなりその空孔部１３５からなる弾性部材３を設けたことによりその空孔部１３５に係る弾性材部３は壁際３１などの圧力３７によりその空孔部１３５は凹みそのことにより更にその壁際３１にそのノズル1からなる第二の吸引口２４は移行できその弾性部材３に前記シート材８４で被覆したその部材にその部材より高硬度となる混合材４を設けた為その弾性部材３にシート材８４で被覆したその部材の劣化をその高硬度を有する混合材４が防ぎそれらの部材の長期安定を図るものとする。
【００５２】
図１５で記した前記ノズル１で（ａ）は第一の吸引口２２を閉鎖して（ｂ）より第二の吸引口２４により壁際３１を掃除した概略図である。                            
【００５３】
図１６の（ａ）は前記第二の吸引口２４の開閉９５を可能としたものとなり図  １３の第一の吸引口２２の開閉９５と同じ原理の開閉可動手段となると共に吸引口を段階的にその開口部の広さ調節に使用する部材も同様の仕様となり前記ノズル１の内部９６に設けた開閉蓋２０となる混合部材の柔軟を有する混合部材の該混合材部から突出させたその同じ部材からなる突出部を設けそれをレバー２１としてその前記レバー２１がノズル１の内部９６から外部６１へと突出できるようにその為の専用開口部４１をそのノズル１の該ノズル１面に設け前記専用開口部４１からそのレバー２１を外部６１へと突出させた。そのレバー２１を可動１６させる事により前記開閉蓋２０となる混合部材は同時に可動しその部材と離間して外周部となるその部材が通る為のレール２３を設けてありその部材は前記レール２３を通り開閉９５できるものとした。その為第二の吸引口２４の開口面積は自在に変える事ができて使用する掃除場所に応じて調節ができるものとしその前記第二の吸引口２４を完全に閉鎖して第一の吸引口２２の開口総面積を調節しながら使用する事も可能となる。（ｂ）と（ｃ）はその第二の吸引口２４の外周部に該先端に凹部９８を有する弾性部材５２を突出させその前記凹部９８を外気取り込み口としその形状で形成して設けその部材と離間して囲うように（ｄ）より該先端に凹部１００を有するブラシ９９をその前記弾性部材５２の外周部に設けそのブラシ９９に係る凹部１００を埃の取り込み口としそれらの部材を連鎖的に作用させて埃７２の吸引を確実化させ従来取り残しとなる微小の埃をそれらの効果によってより前記吸引が確実なものとなる。又そのノズル１の前記第一の吸引口２２の外周部に該先端に凹部を有するブラシ９９を設けた為その第一吸引口２２からなる内部９６の真空度の安定化を図る為にその第一の吸引口２２の外周部はブラシ９９のみとしてそのブラシ９９で掃除面の埃７２をかき出して前記凹部１００にそのブラシ９９によりノズル１の内部９６へと入りにくい埃をその凹部１００により吸引させるものとなりその凹部１００により吸引を害する埃をノズル１の内部９６へと移行させその弾性部材５２より前記ブラシ９９を微量に長めに突出させるとそのブラシ９９の作用効果がより作用するものとなる。
【００５４】
図１７は前記図１６で記した第二の吸引口２４の開口部となる外周部に設けた部材による効果を示したものとなり（ａ）は毛束のブラシのみの場合である掃除吸引を示したものでその前記ブラシの隙間から生じる外気１０９の取り込む量を矢印の太さのそれにより示したものでそのブラシは埃を集める事に関し非常に効率が良く作用するがその部材からなる前記外気１０９の取り込む量はその部材には前記隙間が生じる為そのノズル１の内部９６の状態を低真空としてその前記内部９６は低真空となり吸引はその前記外気１０９により少し低減する。その前記低減を抑える為その外気１０９を取り込む量を比率させてその外気１０９を取り込む量を減少させこれを中真空として高吸引４９とした。その前記外気１０９を取り込む隙間総面積の広さによる外気１０９の取り込み量を比率させてその前記総面積に応じてそのノズル１の内部９６状態を低真空から中真空と振り分けをしてそれらを名称としそれに応じた吸引量とする。（ｂ）は第二のノズル１からなる第二の吸引口２４の外周部に弾性部材５２からなるその部材の先端の該先端部には凹部９８を有しその凹部９８を外気取り込み口とする。その凹部９８からなる前記外気取り込み口を（ａ）で記したブラシ部材９９より外気を吸い取る隙間総面積を低減させてその外気取り込み口の隙間総面積を調節しそのノズル１の内部９６を中真空として吸引を高吸引４９とした。（ｃ）は（ｂ）で記した弾性部材５２の一例であり（ｄ）は前記第二の吸引口２４の外周部に先端の該先端部に凹部９８を有する前記弾性部材５２を突出させその部材と離間して囲うように先端の該先端部に凹部１００を有するブラシ９９を設けたその前記ブラシ９９でありその部材での埃７２の移動を示しその前記ブラシを有する事によりそのブラシ部材により吸引を害する埃７２をその前記該先端部の凹部１００から埃を吸引する様子を示したものである（ｅ）は第二の吸引口２４の外周部から突出させた弾性部材５２や毛束ブラシ９９をノズル１の底面部に凹部を設けその凹部の内側にそれらの部材を設けそのノズル１の底面部８１と直列させた一例の概略図となる。
【００５５】
図１８は建築物又はその建築物に係る垂直からなる部材や排気を必要とする電気製品又はインテリアなどの掃除面を示して（ａ）は図５の（ａ）形状からなる第二のノズル１に係る第二の吸引口２４でサッシ１０７に係る凹凸での使用状態を示したもので（ｂ）は図５の（ｃ）と（ｄ）形状からなり垂直からなる部材である網戸１０８を上下方向４３にそのノズル1を可動させてその網戸１０８部材を掃除したものである。（ｃ）はクーラー１０６の内部を図５の（ｃ）と（ｄ）形状からなるその前記ノズル１の第二の吸引口２４での掃除したものとなり（ｄ）は図５の（ａ）形状で壁際３１をその前記第二の吸引口２４で掃除したものであり（ｅ）はインテリアに係るカーテンを図５の（ｃ）と（ｄ）形状でその第二のノズル１の第二の吸引口２４で上下４３にそのノズル1を可動させ掃除をしてそのノズル１の使用感はそのノズル1は軽くてそれらの垂直部材に対しその第二の吸引口が直行であてられる為それらの掃除場所が第二の吸引口と統合して重さを感じず手軽にそのノズルがあてることができそれらの図１８の（ａ）から（ｅ）は掃除を示した概略図となる。
【００５６】
図１９は建築物又はその建築物に係る垂直からなるインテリア部材や家具の掃除面を示して（ａ）はロール式カーテン１０５を図５の（ｃ）と（ｄ）形状でそのノズル1を上下４３に可動させ掃除を示したもので（ｂ）はブラインド１０４を図５の（ｃ）と（ｄ）形状の第二のノズル１に係る第一の吸引口２２を半開きとし又第二の吸引口２４は全開とし吸引を中吸引とし掃除したものである。（ｃ）は家具で有るデスク１０３を吸引の強さを有さないこの場所での消しゴムや鉛筆などを吸引しない為に第一と第二のそれらの吸引口を全開して低吸引としてその前記デスク１０３の掃除を示したものとなり（ｄ）は第二の吸引口２４を閉鎖して第一の吸引口２２での掃除に係る平面を通常の吸引にして掃除したそれらは概略図である。
【００５７】
図２０は第一の吸引口２２と第二の吸引口２４からの非清掃物に係る釘７３の吸引による詰りやそれらの吸引口による埃の詰りを解決する為に第二のノズル１の該ノズル面には開口部４５を設けてありその開口部４５から前記ノズル1の内部９６の障害を防ぐ為のそれらの吸引口による吸引４９を害さない為の前記開口部４５となる。（ｂ）と（ｄ）又は（ｅ）はノズル1の内部を掃除する為の開口部４５の開閉蓋４４としてそれらによってそのノズル１の前記内部９６は外部６１から目視できそれらの開閉手段としての一例として示したものでその開口部は凹部となりその開口外周面に磁石の磁極であるプラス極４２を有する部材を設けその凹部と連結するように前記開閉蓋の裏面７５となるその開閉蓋の連結部面となる外周端部面に磁石の磁極であるマイナス極５６を設けそれらの磁極により開閉できる仕組みとした。その開閉蓋のノズル１の該ノズル面１との接触面となる前記開閉蓋の前記接触面には弾性変形可能な弾性部材３を設けその開閉部からの吸引漏れをその前記弾性部材３はそのノズル１の該ノズル面１に密着し圧力をかけるとその弾性部材３は変形させながら吸着し前記吸引漏れを防ぐものとしその弾性部材３に柔軟部材１２２の樹脂より低高度となるシート状の部材８４を被覆させそれらの磁石８５の磁極部材をその前記シート部材８４が保護してそれらの部材の長期安定を図るものとしてその弾性部材３はスポンジ状のクッションを有する部材となりそのシート材はスポンジ状の部材と連動的に作用するような低硬度の軟らかいシリコンより高硬度なシール材となりその開閉蓋４４を開閉する為の一例となる。
【００５８】
図２１より前記ノズル１に設けた第一の吸引口２２と第二の吸引口２４の開閉の一例を示したものでそのノズル１の内部９６に設けた混合部材からなる開閉蓋２０は前記第一の吸引口２２を閉鎖と同時に通過し第二の吸引口２４の前方６５は除く一部閉鎖をしたものでこの形状からなる前記前方６５部は閉鎖できないものとしその開口総面積を最小限に抑えたその先端部での網戸１０８などの垂直部材を特意とし最小限となった前記開口部はそのノズル１内部９６の真空度は高まる為高吸引となり前記網戸１０８の網目に吸着又は粘着する埃７２又は風邪の障害となるカビや細菌を最大な吸引で除去し衛生度を高めこの形
状は前記垂直部材や建築物に係るインテリアである垂直に係るカーテン１０５などのあらゆる垂直部を主としたそれらの吸引口の開閉の一例となる。
【００５９】
図２２より柔軟部材１２２と硬質部材１２は同じ樹脂からなるがそれらの部材の硬度４８の違いを使用する樹脂４７の量により説明し尚前記ノズル１の外側１３３や内側１３４又はそのノズル内部９６に設けた開閉蓋２０の材質の説明したものとなる。（ａ）は硬質部材１２の元素となる樹脂の一粒子４７を示したもので（ｂ）はその（ａ）で記した一粒子４７の数により部材の材質を説明したものとなりその粒子４７が少ないその下図を柔材１２２の柔軟とし矢印を経て上図の一粒子４７が多いこれを硬質部材１２の高質としその図によりそれらの部材を説明したものとなる。（ｃ）は前記柔軟部材１２２の
元素となる量の樹脂１３１にセラミック材１２１と静電気防止材１１８を混合させる図となる。その混合材はノズル1の部材の一部として形成した。
【００６０】
図２３よりノズル1面となる混合部材１３２の利点を説明したものとなり（ａ）はノズル1の混合材１３２を記したものとなり（ｂ）は（ａ）で記した混合材１３２の一部となるセラミック材１２１の効果を示したもので前記セラミック材１２１は汚れ５４の吸着を防ぎ尚その前記柔軟部材からなる樹脂１３１を硬化させ又そのノズル１の光沢を保持するといった光沢保持率が非常に高くその為（ｃ）より長期に渡り清潔５７で綺麗なそのノズル１が実現する。柔軟部材１２２は硬質部材１２に比べ樹脂４７の低減により軽くてそのセラミック材により丈夫なものとなる。（ｄ）はそのノズル1には静電気防止材１１８も
混合されている為そのノズル１の全体での電気製品に係るキーボード５９などの静電気５８によるＩＣの破損を未然に軽減させ防止対策ができるようになり又前記ノズル１の内側１３４全体も静電気５８を取り除きながら吸引を行う為その前記静電気５８による埃の吸着を前記内側全体で防ぎながら吸引の流れを良好なものとする。又（ｄ）の追記として静電気防止材１２１の粒子をまとめ前記静電気防止材１１８を固形状として混合したことを特徴とする為その樹脂４７には他の部材の混合可能となる前記他の部材の分量の混合できる範囲が決まっている為その前記セラミック材１２１をその静電気防止材１１８の混合の併用によりその前記固形状によりそのセラミック材１２１を低減させることなく混合出来る為とそのセラミック１２１と静電気防止材１１８の併用によりその部材同士のその混合により覆い合うことを防ぐ為そのセラミック材１２１や静電気防止材１１８の効能を軽減させることなくその効果を最大限に生かせるような混合ができ又その固形状は静電気防止材１２１の粒子の集合体である為より静電気を集める。その静電気防止材１１８の使用量によるそのノズル１面に係るその静電気防止材１１８を減少させることもできてそのノズル１を制作するコストを抑えることもできる。
【００６１】
図２４より（ａ）は柔軟部材１２２もしくは柔軟部材からなる下敷き１２２を示したもので前記ノズル１の基盤となる類似した部材の一例のそれらの部材で同じ大きさや形状にそれらをノズル形成しテコ１２３の原理により説明したもので柔軟部材からなるノズルは硬質部材１２からなるノズルよりそれらのノズルを比べて図２２の（ｂ）で記したその樹脂からなる粒子４７の量はその柔軟部材１２２は少ない為その前記硬質部材１２よりも軽いノズル１となる。
【００６２】
図２５より柔軟部材１２２からなるノズルを元に前記混合材１３２の強度や又は硬質部材１２や柔軟部材１２２又はその柔軟部材１２２より低硬度のシート部材８４のそれらの強度やその図によりそれらの部材の厚みを示したもので（ａ）は柔軟部材１２２のみで形成したノズルに重り９を落下１２５させると壊れるという例えとなる強度を示し（ｂ）と（ｃ）より前記混合材１３２の形成のその混合したノズル１を示した概略図となりその混合させたその混合材１３２でノズル１を形成した場合のそのノズル１は柔軟部材１２２の元素の樹脂１３１量にセラミック材１２１を混合した為その前記ノズル1はそのセラミッ
ク１２１により柔軟を有し軽量であるが硬度が増して（ａ）と同じ質量の重り９を（ｂ）でその重り９をその混合材１３２からなるそのノズル1は前記硬度が増した為破損を防ぐという概略図となる。（ｄ）は図２２の（ｂ）で示した下図の柔軟と同様でこれを柔軟部材１２２としその前記柔軟部材１２２は手１２４などの力により曲がる事を示したもので（ｅ）は図２２で示した上図の硬質と同様でこれを硬質部材１２としその前記硬質部材１２は手１２４などの力により容易には曲がらないこと示して（ｆ）はその前記柔軟部材１２２より低硬度のシート材を示しその柔軟部材１２２と同じ樹脂４７からなるその前記シート材８４は図２２の（ｂ）で示した柔軟部材１２２より樹脂の粒子４７の量が少量で形成してある為その前記シート材８４はその柔軟部材１２２よりも低硬度となる事を示しこれを低硬度のシート部材８４としその前記シート部材８４は手１２４などの力により簡単に曲がる事を示した概略図となる。
【００６３】
図２６より図５の追記として（ａ）は第一の吸引口２２から離間された第二の吸引口の形状の一例でありこのように円形状にしてもよい。（ｂ）はノズル１の底面８１の中央部に第一の吸引口２２を設け、該第一の吸引口２２と離間して第二の吸引口２４をそのノズルの前部の先端９０に下方６５からの吸引口と前方６４からの吸引口を設けたその前記第二の吸引口２２を建築物に係る網戸１０８部材を掃除する時に先端部に角が立たないように角をとり丸みを出す形状で形成しその網戸１０８部材に優しい形状となる。（ｃ）はその前記第二の吸引口２４の該吸引口部にその第二の吸引口２２より総面積は小さいが幅広い凹部を設けその凹部から埃が入りやすく形成した第二のノズル１の形成一例となり概略図となる。（ｄ）は（ｃ）で記したそのノズル１の形成一例の先端部となる前方から見た概略図となる。
【００６４】
図２７は第二のノズル１である延長ホース１０と連結する可動する部分である部材を可動部材１４としてその可動部は弾性部材６の弾性変形効果を利用した凹凸によるその可動部１４は自在に固定出来るものとなる。
【００６５】
図２８は図２７で記した可動部材１４の詳細を示し（ａ）から（ｄ）は前記で記した可動部材１４のその可動部材を弾性部材７で被覆したその可動部材の前方面に係る面からその弾性部材７を貫通させて突出させたその可動部材と同じ部材からなる半円状を突出させてその半円部の側面に凸部を突出させてその凸部８のその部材面と平行となるようその凸部と重なるようにその重なる面である混合材１３２のノズル１の上部となる平面部の後部外側面より突出させた半円状の同じ混合材１３２を設けその半円部からなる混合材１３２の側面に弾性部材６にその部材より高硬度を有する混合部材４を設けそれらの部材面に複数からなる凹部を設けた為それらの凹凸は重なり延長ホース１０から連結するそのノズル１の可動部１４はそれらの凹凸により固定されそれらの凹凸はそのノズル１の可動部１４と連結する延長ホース１０との角度調整の為の固定手段として使用する。その凹部は弾性部材６の弾性を有する部材の特徴を利用できその弾性部材６の伸縮作用でもある弾性変形効果を利用してそれらの凹凸は簡単に固定され角度を変えられるものとし又その弾性部材６はスポンジ状からなるクッションを有する部材より高硬度となるゴムのものとなりその混合材１３２をその可動部１４の安定を図る為にその材質にはその混合部材１３２に係る前記半円部には硬質部材１２又はその混合材１３２の硬度を高めにして形成してもよいとする。
【００６６】
図２９は図２８で記した可動部材１４の前方である先端側面から突出した半円形状からなる前記可動部材１４の詳細を示したものでその前記可動部材１４は混合材１３２からなり、その可動部材１４の前方である先端部の側面に弾性部材７を被覆させてその前記可動部材１４の前方である先端部の前記弾性部材７に係るその弾性部材７を貫通させてその可動部材１４の混合部材の前方からなる上部側面にその半円形状の同じ混合材部８を突出させた。その前記半円部８を除く可動部材１４の前方である先端部となる側面には弾性部材７を追加した為その弾性部材７は音を軽減する効果がありその前記可動部１４の可動時は音がその弾性部材７の効果により軽減されている為可動しても音が低減した可動部となりその弾性部材７を有する可動部１４をその前記弾性部材７の伸縮する効果を利用してその可動部材１４を密着させて取付けた為吸引漏れをその部材で防ぐものとした。又前記半円部８の該半円部には切り込み７９を設けて有りその切り込み７９によりその可動部１４が可動時に邪魔にならないように可動出来るような仕組みとなりその弾性部材はスポンジ状のクッションを有する部材よりも高硬度なゴムとなりその可動部材１４をその可動部１４の安定を図る為にその材質には硬質部材１２又はその混合材１３２の硬度を高めにして形成してもよいとする。
【００６７】
図３０の（ａ）から（ｃ）は前記で記した可動部材１４の先端部となる前方である弾性部材面７に係るその弾性部材７を貫通させてその可動部材１４の混合部材面１３２から突出させたその可動部材１４と同じ混合材１３２からなる凸部の突起部を有する半円形状８でのその前記凸部を有する半円部８であるその部材面と平行となるよう重なるようにその重なる面である混合材１３２のノズル１の平面部８８からなる上部の後部に係る外側面より突出させた半円状の同じ混合材１３２を設けその混合材１３２からなる半円状部と平行に重なるようにノズル１には同じ半円部を設けその半円部の内側に弾性部材６にその部材より高硬度を有する混合部材４を設けその部材には複数からなる凹部９７を有する為それらの凹凸は重なり延長ホース１０から連結するそのノズル１の可動部１４はそれらの凹凸により固定された。その凹部９７を有する弾性部材６に混合部材４を設けたそれらの部材は複数の凹部９６からなりそれらの凹部と可動部材１４の外側から突出させた凸部を有する混合材部８のそれらの凹凸はそのノズル１の可動部材１４と連結する延長ホース１０との角度調整の為の固定手段として使用する。その凹部９７は前記弾性部材６の弾性を有する部材からなりその弾性部材の伸縮作用でもある弾性変形効果を利用してそれらの凹凸は簡単に固定され角度を変えられるものとし（ａ）の角度によるノズル1の使用は主に平面などに使用し（ｂ）は  前記ノズルに設けた可動部材を前記第二の吸引口と直行且つ同一方向に調整可能としたことを特徴とする為その角度によるノズル１の使用は主に垂直部材やインテリアに係るカーテンなどにその第二の吸引口２４と直行且つ同一方向に調整可能としたそのノズル１は手軽にそれらの掃除面にあてやすくなるノズル１となる。（ｃ）の角度によるノズル１の使用は主に棚２５の上やクーラー１０６の上部などの部材の上部となりその図２９と同様にその可動部材１４の可動の安定を図る為にその材質には硬質部材１２又はその混合材１３２の硬度を高めにして形成してもよいとする。
【００６８】
図３１は第一の車輪１１と第二の車輪１３があることを示しそれらの車輪は同じ構造となる車輪一例となる。
【００６９】
図３２は図３１で記した車輪の前後輪の構造を示す。硬質材１２からなる円球部材６９に弾性を有する部材である弾性部材１７でそれを被覆しその被覆した円球部材６９を内側に凸部を有する混合材１３２でその前記円球部材６９の先端部を突出させるように離間して囲いその円球部６９が混合材１３２の内側で全方向に可動出来るものとした。その混合材１３２の内側の複数からなる凸部の突起部とその円球部材６９の外側はゴムである為、それらの部材のその突起により摩擦面が軽減した為とゴムは音の振動を吸収しそれらの作用効果により音の軽減ができると共にその摩擦面の軽減により内側に凸部を有する混合部材１８で囲われたその前記円球部６９はその部材とその前記凸部が支点となる為よりスムーズに良く回転できるようになりそのノズル１の第二の吸引口２４と繋がる車輪ともなりその第二の吸引口２４を壁際３１にあてそのまま横移動ができその弾性部材はその車輪と掃除面との常時接触部となる為硬質部材１２よりは少し低高度であり硬度の高いゴムとするとよい。又その車輪に係る混合材部には静電気防止材も含まれている為静電気を予防する車輪ともなる。
【００７０】
図３３は前記で記した車輪の前後輪の平面部１０１に係る上部の構造は混合部材１３２と混合部材１３２の中間には弾性部材１７を設けその部材の上部からの比重の圧力を３７としてそれらの車輪のその上部からなるその部材の平面部１０１に圧力３７をかけるとその中間に設けた弾性部材１７の弾性変形効果により伸縮する為クッションの役割がその弾性部材１７には有りその弾性部材はその部材劣化を防ぐ為にクッションを有するスポンジ状より少し硬度の高いゴムを使用するとよい。
【００７１】
図３４の（ａ）と（ｂ）又は（ｃ）は前記ノズル１の可動部材１４と連結する延長ホース１０の角度調整ができる事を示しそれらの連結区間を固定した概略図である。そのノズル１は固定される事により安定し又その固定は好きな角度固定調整が出来て１８０度の範囲内８２で固定が出来る為（ａ）よりこたつ部材やベッド部材２８の下部などを掃除する時や（ｂ）より棚２５やクーラー１０６の上部面もそのノズル１は安定され快適な掃除が出来るものとする。又（ｃ）は前記ノズルに設けた可動部材を第２の吸引口と直行且つ同一方向に調整可能としたものとなり図１８や図１９で示した垂直部材に係る網戸１０８やインテリアに係る垂直からなるカーテン１０５などのそのような掃除場所にはそれらの連結部が直線になることにより掃除しやすい扱いやすいノズル１となりその固定は力をあまり使用せずに角度を変える為平面からそのベッド部材２８の掃除移行時はその角度を抵抗感のないその角度調整をできるものとして違和感なくスムーズな角度調整をできるものとしてそれに係る固定をより手軽にできるものとした。
【００７２】
図３５より（ａ）の符号２９は電気掃除機を示し（ｂ）の符号４０は前記電気掃除機の付属となる隙間ノズル４０を示した概略図である。
【００７３】
図３６より図３３で記した車輪からなる弾性部材１７の弾性変形効果を示したもので前記ノズル１は弾性変形効果を利用できる車輪を持つ為そのノズル１は掃除面に係る平面２７からドアレール３２などの段差に移行した時にその弾性部材１７が衝撃を吸収しどのような段差でも乗り越えがスムーズにできるものとした。
【００７４】
図３７よりその前記ノズル１の可動を矢印により示したものでそのノズル１の車輪の車軸は複数からなる凸部の支点となる為（ａ）は中心軸を３３とし左回転や右回転３４ができて又（ｂ）は中心軸を３３として全方向４３に移動できるものとし掃除移動をスムーズなものとした。
【００７５】
図３８と図３９は前記ノズル１の後部にある部材からなる前記可動部材１４の後部側面に螺旋状の空気口６６を設けた為その空気口６６は凹部からなるネジ状の螺旋形状で有る為その部材１４の連結部材にあたる延長ホース１０を微量に回転させるとその凹部による空気口６６に空気７６が入る為又は前記螺旋状である為その空気が伝わりやすくそのノズル１と延長ホース１０の連結部の取り外しが簡単に行なえ又その可動部材１４の底面部８０である後部の延長ホース１０との連結部に係る前記可動部材１４の後部を斜面形状８０で形成した為そのことによりその連結部にあたるそれらの部材面の摩擦面は減少してその螺旋状に加え更に取り外しが手軽に行えるものとなる。
【００７６】
図４０は前記で記した前記ノズル１の内部９６を掃除可能な開口部４５を設け且つ該開口部４５に開閉蓋４４を設けたことを特徴とする為その開閉蓋４４と連結して開口部４５があり第一と第二の吸引口から吸引した埃７２の詰りに係るそのノズル１の内部９６を掃除する為の開口部４５が開いている状態であり開閉９５できることを示しその開口部４５よりしつこいペットの毛や非清掃対象物である釘７３の詰りなど又はそのノズル１の内部９６を掃除する時にその開口部４５よりそれらを取り除き解消する事が出来てまた衛生面にも効果的であり開閉の一例を示したものとなり又その開閉蓋４４やその開口部４５をそのノズル１の第一の吸引口２２の底面部８１に設けてもよいとする。
【００７７】
図４１の（ａ）は前記で記した前記ノズル１の内部９６を掃除可能な開口部４５の外周部には磁石のプラス極４２が設けて有り（ｂ）はその開口部４５を開閉する為に用いる蓋４４の裏面７５となる下部となる底面部を示しその部材面の端部外周部には磁石のマイナス極５６が設けてある為それらの磁力によりその蓋の開閉がスムーズなものとなりそのノズル１の内部９６を掃除したい時は手軽に開閉でき掃除できるものとした。又（ｃ）はそれらの磁石部材には柔軟部材１２２より低高度となるシート状のシール材８４からなる樹脂１３１を被覆した為磁石同士の接触によるそれらの磁石の劣化をそのシート部材８４が防ぐという前記で記したことは掃除可能な開口部４４の開閉の一例となる。
【００７８】
図４２と図４３は前記ノズル１の第一の吸引口２２の開閉蓋２０を駆動手段段を介して開閉９５できることを特徴とし図４２よりその開閉可逆用マグネットスイッチＭＣＣＢによりモーター７４をノズル１の内部９６からなる該ノズル内部９６に設けそのモーター７４により正転７０逆転７１させてその開閉蓋２０は開閉９５できるものとなり図４３よりその前記モーター部７４に電気掃除機の本体２９から経由して電気のプラス１３６とマイナス１３７をノズル１のその内部９６にあるモーターに繋げそのモーター７４からそのノズル１の該ノズル面にスイッチ１３８を設けそのスイッチ１３８とそのモーター７４を電
気のプラス線１３６と電気のマイナス線１３７で繋ぎそのスイッチ１３８を可動させることによりそのモーター７４にある歯車７８は可動しその歯車７８からなる凹凸と開閉蓋２０の片側側面８６に凹凸を設けその側面８６の凹凸と重なるよう連動するように歯車６０を設けその歯車６０と離関してモーター部の歯車７８にベルト７７を設けそのベルト７７によりそれらを連動させてその開閉蓋と連動する歯車６０と開閉蓋２０の側面８６の凹凸は連動されている為モーター７４の可動と同時に開閉蓋２０も可動する駆動手段の一例となる概略図となる。
【００７９】
図４４は電気掃除機の第一のノズル２の正面図であり第一の吸引口の開口部をそのノズルの中央部に兼ね備え平面などの掃除を効率的に行う。
【００８０】
図４５の（ａ）は第二のノズルの車輪の支軸を示し（ｂ）は第一のノズル２の車輪のその可動方向をその車輪と矢印により説明する。そのノズル２に取り付けある車輪にはその車輪の中心を貫き車軸５０を兼ね備えている為そのノズル２は前進や後進が可能で有り左右に曲がる時は湾曲状に方向転換をしながらそれらの方向３４にそのノズル２の先端部を向ける。
【符号の説明】
【００８１】
１  考案に係る第二のノズル
２  第一のノズル
３  第二のノズルの外周部の保護材やそのノズルの内側を掃除する為の開口部か
ら空気漏れを防ぐそれらに使用する弾性部材のゴム
４  ５と同じ混合材
５  開閉蓋を段階的に調節する為に使用する弾性部材を保護する為に使用する
柔軟部材にセラミック材と静電気防止材混合させた部材の混合部材。
６  可動部材の角度固定に使用する複数からなる凹部を有する弾性部材のゴム
７  硬質部材からなる可動部材の先端部に被覆した遮音や空気漏れを防ぐ為の
弾性部材のゴム        
８  凸部を有する半円状の５と同じ混合材
９  重り
１０  延長ホース
１１  車輪の前輪
１２  硬質材部の樹脂部
１３  車輪の後輪
１４  可動部材
１５  可動部材を置く場所
１６  部材の可動矢印
１７  第一の車輪又は第二の吸引口の開閉蓋を段階的に調節する為のそれらの場
所に使用する弾性部材のゴム
１８  第二のノズルの後部
２０  第二のノズルの内部に設けた柔軟部材の元素からなる樹脂にセラミック材
と静電気防止材を混合させ形成した部材でそれを開閉蓋としたもの
２１  第二のノズルの内部から外部に突出した開閉蓋を可動させるレバー
２２  第二のノズルの第一の吸引口の開口部
２３  第二のノズルの内部に設けた開閉蓋を可動させる為にその部材が通るレー
ル    
２４  第二のノズルの第二の吸引口の開口部
２５  棚
２６  汚れの移動を示す矢印
２７  掃除する床面の平面を示す線
２８  ベッド部材
２９  電気掃除機の本体
３０  室内の壁
３１  壁際やそのコーナー
３２  ドアレールの段差
３３  円の中心軸
３５  第一のノズルの吸引口の開口部
３６  ５と同じ用途に使用する柔軟材にセラミック材と静電気防止材を混合さ
せた部材からなりその側面一方の下部面には凹部を有する部材
３７  弾性部材圧力をかけた事を示す矢印
３８  第一の車輪の平面部に設けた弾性部材であるゴムの弾性変形を示した矢印
３９  ３６で記した部材の下部面
４０  隙間ノズル
４１  第一の吸引口の開口部の開閉する為の専用レバー開口部
４２  磁石の磁極からなるプラス極
４３  第二のノズルが掃除できる方向やノズル移行の方向を示す矢印
４４  第一と第二の内部を掃除する為の開口部の蓋
４５  第一と第二の内部を掃除する為の開口部        
４６  吸引の制御を示すその吸引     
４７  樹脂の粒子又はその樹脂                  
４８  低高度から高硬度を示す矢印
４９  吸引力を示す矢印
５０  第一のノズルの車輪の支軸
５１  汚れと水
５２  第二の吸引口の外周部に設けた弾性部材のゴムでその部材でノズル内部を真空に近い状態を作る前記部材でありその前記状態を中真空としその弾性部材を示す
５４  汚れ
５５  水  
５６  磁石の磁極からなるマイナス極
５７  清潔さを示す星
５８  静電気
５９  キーボード
６０  第二のノズルの内部にある開閉蓋の内側面に設けた凹凸と連動する歯車
６１  外部
６２  柔軟部材からなるノズル
６４  第二の吸引口の前方吸引口
６５  第二の吸引口の下方吸引口
６６  空気口となる螺旋形状の凹部
６７  空気層  
６９  第一の車輪の円球部
７０  モーターの正転
７１  モーターの逆転
７２  埃の移動を示す矢印又はその埃
７３  吸引口から吸引した非清掃物の釘
７４  モーター
７５  第二のノズルの内部を掃除する為の開口部の蓋の裏面
７６  空気
７７  ベルト
７８  モーター部の歯車
７９  ノズル１の可動部のその部材の可動時に邪魔にならない為の切り込み
８０  可動部材の底面後部に設けた斜面部  
８１  第二のノズルの底面部
８２  １８０°の角度を示す
８３  摩擦面が減少した部分
８４  柔軟部材より低高度の部材で薄幕からなるシート状の保護材の樹脂
８５  磁極のマイナス極とプラス極のそれらの磁石
８６  第一の吸引口に係る開閉蓋の側面
８８  第二のノズルの上面部
８９  弾性部材に１３２で示す混合部材を設けたそれらの部材
９０  第二のノズルの前部からなる先端部
９１  第一の吸引口を閉める為の一例となる開閉蓋の端部外側面に圧力をかける
為に使用するクッションを有する弾性部材のゴムにその部材に柔軟部材の
元素にセラミック材と静電気防止材を混合させた部材を設けたそれらの部
材
９２  第一の吸引口の開閉蓋により閉める為の一例となる凹凸を利用した前記開
閉蓋を段階的に調節する為に使用するその凹部
９３  前記で記した第一の吸引口を開閉蓋により段階的に閉める為の一例となる
凹凸を利用した開閉蓋の混合材を止める為に使用するその凸部
９４  部材の拡大を示す矢印
９５  部材による開閉を示す矢印
９６  第二のノズルの内部
９７  可動部材の角度調整に使用する複数からなる凹部
９８  凹部の窪み
９９  第二の吸引口や第一の吸引口の外周部に設けた毛束のブラシ
１００  ９９で示すブラシの該ブラシ部の凹部
１０１  第一の車輪の平面部に係るその部材の上部
１０３  デスク
１０４  ブラインド
１０５  カーテン又はロール式カーテン
１０６  クーラー
１０７  サッシの凹凸
１０８  網戸
１０９  外気を取り込む量を示した矢印
１１２  部材後部を示す矢印
１１８  静電気防止材
１２１  セラミック材
１２２  柔軟部材を表す下敷き
１２３  テコ
１２４  圧力を加える手
１２５  重りの落下を示す矢印
１２６  元素の混合を示す矢印
１２８  重りの落下により破損した事を示すその破損部
１３１  柔軟部材の元素又はその部材の一粒子の量からなる樹脂              
１３２  柔軟部材となるプラスチックの元素となる樹脂にセラミック材と静電気
防止材を混合し加工した部材又はその混合材
１３３  第二のノズルの外側面
１３４  第二のノズルの内側面
１３５  弾性部材の空孔
１３６  電気が通るプラス線
１３７  電気が通るマイナス線
１３８  モーターを駆動させるスイッチ
【図１】
0003183535.tif 000003
【図２】
0003183535.tif 000004
【図３】
0003183535.tif 000005
【図４】
0003183535.tif 000006
【図５】
0003183535.tif 000007
【図６】
0003183535.tif 000008
【図７】
0003183535.tif 000009
【図８】
0003183535.tif 000010
【図９】
0003183535.tif 000011
【図１０】
0003183535.tif 000012
【図１１】
0003183535.tif 000013
【図１２】
0003183535.tif 000014
【図１３】
0003183535.tif 000015
【図１４】
0003183535.tif 000016
【図１５】
0003183535.tif 000017
【図１６】
0003183535.tif 000018
【図１７】
0003183535.tif 000019
【図１８】
0003183535.tif 000020
【図１９】
0003183535.tif 000021
【図２０】
0003183535.tif 000022
【図２１】
0003183535.tif 000023
【図２２】
0003183535.tif 000024
【図２３】
0003183535.tif 000025
【図２４】
0003183535.tif 000026
【図２５】
0003183535.tif 000027
【図２６】
0003183535.tif 000028
【図２７】
0003183535.tif 000029
【図２８】
0003183535.tif 000030
【図２９】
0003183535.tif 000031
【図３０】
0003183535.tif 000032
【図３１】
0003183535.tif 000033
【図３２】
0003183535.tif 000034
【図３３】
0003183535.tif 000035
【図３４】
0003183535.tif 000036
【図３５】
0003183535.tif 000037
【図３６】
0003183535.tif 000038
【図３７】
0003183535.tif 000039
【図３８】
0003183535.tif 000040
【図３９】
0003183535.tif 000041
【図４０】
0003183535.tif 000042
【図４１】
0003183535.tif 000043
【図４２】
0003183535.tif 000044
【図４３】
0003183535.tif 000045
【図４４】
0003183535.tif 000046
【図４５】
0003183535.tif 000047